(57)【要約】Ａ）第一物体１が中心軸線（４）に同軸に配置されたＭ（Ｍ≧１）個の第一連結セグメント（５．ｉ）を含み；Ｂ）第二物体（２）が中心軸線（４）に同軸に配置されたＮ（Ｎ≧１）個の第二連結セグメント（７．ｊ）を含み、その結果、Ｃ）第一連結ゾーン（３）及び第二連結ゾーン（６）が中心軸線（４）に同軸に延びるプラグ型連結を形成し、Ｄ）　第一連結ゾーン（３）が非円形断面Ｑ５．１ を有する少なくとも一つの第一連結セグメント（５．１）を備え、かつ第二連結ゾーン（６）が断面Ｑ５．１ とポジティブに係合する断面Ｑ７．１ を有する少なくとも一つの第二連結セグメント（７．１）を備え、それにより中心軸線（４）に対する回転安定化されたポジティブ係合が得られ、Ｅ）　Ｍ×Ｎが＞２であり、かつ、Ｆ）　少なくとも一つの第一連結セグメント（５．ｋ）及び少なくとも一つの第二連結セグメント（７．ｌ）が中心軸線４に対する軸線方向の非ポジティブ係合を形成する、二つの物体１及び２を解除自在に連結するためのプラグ型連結。
2004512057.tif 000002
【特許請求の範囲】
【請求項１】
Ａ）第一物体（１）が中心軸線（４）、長さ（Ｌ１ ）、及び中心軸線（４）に同軸に配置されたＭ（Ｍ≧１）個の第一連結セグメント（５．１，．．．．．，５．ｍ）を有する第一連結ゾーン（３）を含み；
Ｂ）第二物体（２）が中心軸線（４）、長さ（Ｌ２ ）、及び中心軸線（４）に同軸に配置されたＮ（Ｎ≧１）個の第二連結セグメント（７．１，．．．．．，７．ｎ）を有する第二連結ゾーン（６）を含み、その結果、
Ｃ）第一連結ゾーン（３）及び第二連結ゾーン（６）が中心軸線（４）に同軸に延びるプラグ型連結を形成し、かつ
Ｄ）第一連結ゾーン（３）が非円形断面Ｑ５．１ を有する少なくとも一つの第一連結セグメント（５．１）を有し、そして第二連結ゾーン（６）が前記断面Ｑ５．１ とポジティブに係合する断面Ｑ７．１ を有する少なくとも一つの第二連結セグメント（７．１）を有し、それにより中心軸線（４）に対する回転方向のポジティブ係合が得られる、二つの物体（１）及び（２）を解除自在に連結するためのプラグ型連結であって、
Ｅ）Ｍ×Ｎが≧２であり、かつ
Ｆ）少なくとも一つの第一連結セグメント（５．１，．．．．．，５．ｍ）及び少なくとも一つの第二連結セグメント（７．１，．．．．．，７．ｎ）が中心軸線（４）に対する軸方向の非ポジティブ係合を形成することを特徴とするプラグ型連結。
【請求項２】
非ポジティブ係合が軸線方向にテーパ付きの断面Ｑを有する少なくとも一つのセグメント（５．１，．．．．．，５．ｍ；７．１，．．．．．，７．ｎ）により形成されることを特徴とする請求項１に記載のプラグ型連結。
【請求項３】
全ての連結セグメント（７．１，．．．．．，７．ｎ）が中心軸線（４）に関して互いに軸線方向に隣接し、かつ互いに形状を異にすることを特徴とする請求項１又は２に記載のプラグ型連結。
【請求項４】
全ての連結セグメント（５．１，．．．．．，５．ｍ）が中心軸線４に関して互いに軸線方向に隣接し、かつ互いに形状を異にすることを特徴とする請求項１又は３に記載のプラグ型連結。
【請求項５】
連結セグメント（５．１，．．．．．，５．ｍ）が軸セグメント及び穴セグメントの組み合わせからなることを特徴とする請求項１に記載のプラグ型連結。
【請求項６】
第一連結ゾーン（３）が単一片からなることを特徴とする請求項１〜５のいずれかに記載のプラグ型連結。
【請求項７】
第一連結ゾーン（３）が数個の片、好ましくは二つの片からなることを特徴とする請求項１〜５のいずれかに記載のプラグ型連結。
【請求項８】
少なくとも一つの第一連結セグメント（５．ｉ、１≦ｉ≦ｍ）がその他の第一連結セグメント（５．ｊ、ｊ≠ｉ）に対し同軸に変位可能であることを特徴とする請求項７に記載のプラグ型連結。
【請求項９】
第二連結セグメント（７．１，．．．．．，７．ｎ）が軸セグメント及び穴セグメントの組み合わせからなることを特徴とする請求項４に記載のプラグ型連結。
【請求項１０】
第二連結ゾーン（６）が単一片からなることを特徴とする請求項１〜９のいずれかに記載のプラグ型連結。
【請求項１１】
第二連結ゾーン（６）が数個の片、好ましくは二つの片からなることを特徴とする請求項１〜９のいずれかに記載のプラグ型連結。
【請求項１２】
少なくとも一つの第二連結セグメント（７．ｉ、１≦ｉ≦ｎ）がその他の第二連結セグメント（７．ｊ、ｊ≠ｉ）に対し同軸に変位可能であることを特徴とする請求項１１に記載のプラグ型連結。
【請求項１３】
中心軸線（４）に関して回転方向のポジティブ係合を形成する第一連結セグメントの少なくとも一つ（５．１、．．．．．、５．ｉ）が中心軸線（４）に有効に平行である第二連結セグメント（７．１，．．．．．，７．ｎ）の少なくとも一つとの非ポジティブ係合を同時に形成することを特徴とする請求項１〜１２のいずれかに記載のプラグ型連結。
【請求項１４】
中心軸線（４）に関して回転方向のポジティブ係合を形成する第二連結セグメントの少なくとも一つ（７．１，．．．．．，７．ｊ）が中心軸線（４）に有効に平行である第一連結セグメント（５．１，．．．．．，５．ｍ）の少なくとも一つとの非ポジティブ係合を同時に形成することを特徴とする請求項１〜１３のいずれかに記載のプラグ型連結。
【請求項１５】
中心軸線（４）に関して回転方向のポジティブ係合を形成する第一連結セグメント（５．１，．．．．．，５．ｉ）及び第二連結セグメント（７．１，．．．．．，７．ｊ）が相補的多角形断面（８．１，．．．．．，８．ｉ；９．１，．．．．．，９．ｊ）を備えていることを特徴とする請求項１〜１４のいずれかに記載のプラグ型連結。
【請求項１６】
断面（８．１，．．．．．，８．ｉ；９．１，．．．．．，９．ｊ）が六角形であることを特徴とする請求項１５に記載のプラグ型連結。
【請求項１７】
中心軸線（４）に関して回転方向のポジティブ係合を形成する第一連結セグメント（５．１，．．．．．，５．ｉ）及び第二連結セグメント（７．１，．．．．．，７．ｊ）が相補的星形断面（８．１，．．．．．，８．ｉ；９．１，．．．．．，９．ｊ）（６個の分岐を有する星形ソケット）を備えていることを特徴とする請求項１〜１４のいずれかに記載のプラグ型連結。
【請求項１８】
中心軸線（４）に関して回転方向のポジティブ係合を形成する第一連結セグメント（５．１，．．．．．，５．ｉ）及び第二連結セグメント（７．１，．．．．．，７．ｊ）が相補的楕円形断面（８．１，．．．．．，８．ｉ；９．１，．．．．．，９．ｊ）を備えていることを特徴とする請求項１〜１４のいずれかに記載のプラグ型連結。
【請求項１９】
Ｍ≧２かつＮ≧２であることを特徴とする請求項１〜１８のいずれかに記載のプラグ型連結。
【請求項２０】
Ｎ＝Ｍ＋１かつＭ≧１であることを特徴とする請求項１〜１８のいずれかに記載のプラグ型連結。
【請求項２１】
Ｍ＝Ｎ＋１かつＮ≧１であることを特徴とする請求項１〜１８のいずれか記載のプラグ型連結。
【請求項２２】
Ｍ＝１かつＮ＝２であることを特徴とする請求項２０に記載のプラグ型連結。
【請求項２３】
Ｍ＝２かつＮ＝１であることを特徴とする請求項２１に記載のプラグ型連結。
【請求項２４】
Ｍ＝Ｎであることを特徴とする請求項１９に記載のプラグ型連結。
【請求項２５】
Ｍ＝２であることを特徴とする請求項２４に記載のプラグ型連結。
【請求項２６】
Ｍ＝３であることを特徴とする請求項２４に記載のプラグ型連結。
【請求項２７】
第二物体（２）の二つの第二連結セグメント（７．１；７．２）が平部ＳＷを横切る幅を有する六角形ソケット（１２）を含む穴セグメント（１１）、及び直径ｄ＜ＳＷを有する円筒形穴セグメント（１３）を備えることを特徴とする請求項２５に記載のプラグ型連結。
【請求項２８】
物体（１）の二つの第一連結セグメント（５．１；５．２）が六角形セグメント（２２）を含む軸セグメント（２１）及び２〜１０度の円錐角αを有する円錐台形軸セグメント（２３）を含み、円錐台の最大直径Ｄｍａｘ が円筒形穴セグメント（１３）の直径ｄよりも大きく、かつ最小直径Ｄｍｉｎ がその直径ｄよりも小さいことを特徴とする請求項２７に記載のプラグ型連結。
【請求項２９】
物体（２）の三つの第二連結セグメント（７．１；７．２；７．３）が直径Ｄ１４を有する円柱形穴セグメント（１４）を含む穴セグメント（１１）、平部ＳＷを横切る幅及び角部Ｅを横切る幅を有する六角形ソケット（１２）及び直径ｄ≦ＳＷを有する円筒形穴セグメント（１３）を備え、直径Ｄ１４≧Ｅであることを特徴とする請求項２６に記載のプラグ型連結。
【請求項３０】
物体（１）の三つの第一連結セグメント（５．１；５．２；５．３）が直径Ｄ２４を有する円柱形軸セグメント（２４）を含む軸セグメント（２１）、角部Ｅを横切る幅及び平部ＳＷを横切る幅を有する六角形セグメント（２２）、及び２〜１０度の円錐角αを有する円錐台形軸セグメント（２３）を備え、直径Ｄ２４＝Ｄ１４であり、円錐台の最大直径Ｄｍａｘ が円筒形穴セグメント（１３）の直径ｄよりも大きく、かつ最小直径Ｄｍｉｎ がその直径ｄよりも小さいことを特徴とする請求項２９に記載のプラグ型連結。
【請求項３１】
円錐角αが３〜５度であることを特徴とする請求項２８又は３０に記載のプラグ型連結。
【請求項３２】
物体（２）の二つの第二連結セグメント（７．１；７．２）が内径ｄｉ を有する６個の分岐を有する星形ソケット（１５）を含む穴セグメント（１４）、及び直径ｄ≦ｄｉ を有する円筒形穴セグメント（１３）を備えることを特徴とする請求項１９に記載のプラグ型連結。
【請求項３３】
物体（１）の二つの連結セグメント（５．１；５．２）が６個の分岐を有する星形セグメント（２５）を含む軸セグメント（２４）及び２〜１０度の円錐角αを有する円錐台形軸セグメント（２３）を備え、円錐台の最大直径Ｄｍａｘ が円筒形穴セグメント（１３）の直径ｄよりも大きく、かつ最小直径Ｄｍｉｎ がその直径ｄよりも小さいことを特徴とする請求項１９に記載のプラグ型連結。
【請求項３４】
物体（２）の三つの第二連結セグメント（７．１；７．２；７．３）が直径Ｄ１４を有する円柱形穴セグメント（１４）を含む穴セグメント（１１）、内径ｄｉ 及び外径ｄａ を有する６個の分岐を有する星形ソケット、及び直径ｄ≦ｄｉ を有する円筒形穴セグメント（１３）を備え、直径Ｄ≧ｄａ であることを特徴とする請求項２６に記載のプラグ型連結。
【請求項３５】
物体（１）の三つの第一連結セグメント（５．１；５．２；５．３）が直径Ｄ２４を有する円柱形軸セグメント（２４）を含む軸セグメント（２１）、内径ｄｉ 及び外径ｄａ を有する６個の分岐を有する星形セグメント、及び２〜１０度の円錐角αを有する円錐台形軸セグメント（２３）を備え、直径Ｄ２４＝Ｄ１４であり、円錐台の最大直径Ｄｍａｘ が円筒形穴セグメント（１３）の直径ｄよりも大きく、かつ最小直径Ｄｍｉｎ がその直径ｄよりも小さいことを特徴とする請求項３４に記載のプラグ型連結。
【請求項３６】
円錐角αが３〜５度であることを特徴とする請求項３３又は３５に記載のプラグ型連結。
【請求項３７】
Ｎ≧２の場合に、物体（２）の連結セグメント（７．１，．．．．．，７．ｎ）の少なくとも一つは差込みを行う方向に収束する円錐形のテーパ付き形態を有することを特徴とする請求項１〜２５のいずれかに記載のプラグ型連結。
【請求項３８】
Ｍ≧２の場合に、物体（１）の連結セグメント（５．１，．．．．．，５．ｍ）の少なくとも一つは差込みを行う方向に収束する円錐形のテーパ付き形態を有することを特徴とする請求項１〜３７のいずれかに記載のプラグ型連結。
【請求項３９】
Ｎ≧３の場合に、連結セグメント（７．１，．．．．．，７．ｎ）の少なくとも一つが円筒形状を有することを特徴とする請求項１〜３８のいずれかに記載のプラグ型連結。
【請求項４０】
Ｍ≧３の場合に、物体（１）の前部の連結セグメント（５．１，．．．．．，５．ｍ）の少なくとも一つが円筒形状を有することを特徴とする請求項１〜３９のいずれかに記載のプラグ型連結。
【請求項４１】
物体（１）がねじ回し（３０）であり、かつ物体（２）がねじ（４０）であることを特徴とする請求項１〜４０のいずれかに記載のプラグ型連結を含む装置。
【請求項４２】
物体（２）がねじ回し（３０）であり、かつ物体（１）がねじ（４０）であることを特徴とする請求項１〜４０のいずれかに記載のプラグ型連結を含む装置。
【請求項４３】
物体（１）が長手方向軸線（５０）、物体（２）に面する前端部（５１）、及び前端部（５１）に向かって開いており、かつ長手方向軸線（５０）に同軸に延びる穴５２を備えることを特徴とする請求項４１に記載の装置。
【請求項４４】
物体（２）が長手方向軸線（６０）、物体（１）に面する前端部（６１）、及び前端部（６１）に向かって開いており、かつ長手方向軸線（６０）に同軸に延びる穴（５２）を備えることを特徴とする請求項４２に記載の装置。
【請求項４５】
軸線方向に変位可能なピン（５５）が穴（５２）中に配置されることを特徴とする請求項４３又は４４に記載の装置。
【請求項４６】
ピン（５５）がばね（５６）により穴（５２）中に押しやられることを特徴とする請求項４５に記載の装置。
【請求項４７】
ピン（５５）が物体（２）中に形成された穴セグメント（１１）の底部に当接するように前端部（５１，６１）の方向に少なくとも充分に離れて押しやられ可能なことを特徴とする請求項４５又は４６に記載の装置。
【請求項４８】
ピン（５５）は前端部（５１，６１）の方向に少なくとも充分に離れて押しやられ可能であり、その結果、一方では物体（２）中に形成された穴セグメント（１１）の、及び他方では物体（１）の前部の、セグメント（１２，２１０）（これらはポジティブ係合を形成する）が相互の係合を停止することを特徴とする請求項４７に記載の装置。
【請求項４９】
ピン（５５）は物体（１）の前部（２１０）が物体（２）中に形成された穴セグメント（１１）から完全に押し出されるべく少なくとも充分に離れて前方に押しやられ可能なことを特徴とする請求項４６に記載の装置。
【発明の詳細な説明】
【０００１】
（技術分野）
本発明は、請求の範囲の請求項１の前文に記載された二つの物体を解除自在に連結するためのプラグ型連結に関する。
【０００２】
（背景技術）
外科用装置及び移植体の最小の観血的かつ内視鏡検査的使用のために、ねじとねじ回しの間のしっかりした連結を確立することが極めて重要である。大きい頭部寸法を有するねじでは、しっかりした連結は問題ではない。
【０００３】
茎ねじ（Ｐｅｄｉｋｅｌｓｃｈｒａｕｂｅ） 又は脊柱牽引器と操作装置の間のこの型の連結がＳＣＨＬＡＰＦＥＲのＷＯ　９４／２６１９０に開示されている。この既知の連結は、その実施形態の一つによれば、上面に向かって開いた穴を含み、かつ内部ねじ山及び茎ねじの頭部中に形成され、穴の軸線に対し横に延びる細長穴、並びに操作装置中に形成され、前記内部ねじ山に相当する外部ねじ山だけでなく前記細長穴に相当する二つのカムを含む連結機構を含む。この方法では、回転及び軸線方向の変位に対してしっかりした連結を得ることが可能である。更なる実施形態は差込みロック、ねじ頭部への操作装置の横の装入を必要とし、操作装置が一旦挿入されると、ねじの軸線に同軸に延び、操作装置から離れたり、戻ったりして変位可能なピンによる解除自在のロックを可能にするダブテールのようなジョイント、及びねじ頭部の端部面中に形成された溝とかみ合い、円筒形逃げを呈する操作装置の前端部中に形成された二つのカムを含む連結を備える。操作装置中でねじ軸に同軸に置かれたＴ字形スライドが溝へ軸線方向に挿入可能であり、円筒形逃げに達すると、操作装置と軸線方向の変位に対し固定されるねじ頭部との間の連結を形成するようにねじ軸のまわりに回転し得る。
【０００４】
六角形ソケットを有する小さい頭部のねじでは、問題が小さい寸法のために生じるであろう。しかしながら、円錐六角形の挿入片を備えたねじ回しを使用することが可能である。別の可能性は或る程度の力を使用することによりねじ回しを六角形ソケットに挿入することが依然として可能であるような程度までねじ回しの六角形の挿入片を回転させることにある。これらの解決策による主な問題は駆動セグメントの低下した強度及び操作されている間にねじがねじ回しから離れて、傷の深部に消えることがあるというリスクにある。
【０００５】
低下した駆動力の問題及び傷中でねじをゆるめるというリスクは付加的なねじ保持さやにより回避し得る。しかしながら、この解決策は第二の装置の使用を必要とし、これが操作を一層困難にし、装置についての追加の費用を生じる。加えて、ねじ保持さやを備えたねじ回しは一層大きいスペースを必要とし、これが高度の軟組織損傷を伴う。
【０００６】
（発明の開示）
本発明はこれに軽減を与えることを目的とする。それ故、本発明の目的は引張歪、衝撃に耐性であり、かつそれが回される際にその強度が低減されないねじとねじ回しの間の連結を提供することである。これはねじ回しの操作端部（これはねじ頭部に挿入される）がねじ回しの駆動セグメントに加えて、適切に言えば、ねじ頭部内でくさび形にし得るセグメントを含むことで達成される。
【０００７】
本発明によれば、この目的は請求項１の特徴を示す二つの物体を解除自在に連結するためのプラグ型連結により達成される。
【０００８】
本発明の二つの物体を解除自在に連結するためのプラグ型連結は前記物体の一つの上に中心軸線及び中心軸線に同軸に延びるＭ個の連結セグメントを含む第一連結ゾーンだけでなく、中心軸線及びＮ個の連結セグメントを含む、第二物体中に形成された、第二連結ゾーンを備える。Ｍ個の連結セグメント又は夫々のＮ個の連結セグメントはそれらの夫々の中心軸線に対し同軸に配置され、プラグ及び／又はくぼみの形態で連結ゾーンのいずれかで実現されてもよく、その結果、第一連結ゾーン及び第二連結ゾーンが中心軸線に同軸に延びるプラグ型連結を形成する。加えて、第一連結ゾーンは非円形断面を有する少なくとも一つの連結セグメントを含み、また第二連結ゾーンは前記非円形断面とポジティブに係合する（ｆｏｒｍｓｃｈｌｕｓｓｉｇｅｎ） 断面を有する少なくとも一つの連結セグメントを含む。こうして、中心軸線に関して回転安定化されたポジティブ係合（Ｆｏｒｍｓｃｈｌｕｓｓ） を得ることが可能である。加えて、プラグ型連結ポジティブに有効に同軸である非ポジティブ係合（ｋｒａｆｔｓｃｈｌｕｓｓｉｇ）を与える。更に、連結セグメントの数に関して、下記の条件が適応可能である。
Ｍ≧１
Ｎ≧１
Ｍ×Ｎ≧２
【０００９】
第一連結セグメントは同軸に配置され、本発明の装置の異なる実施形態において互いに形状を異にする。形状のこれらの相違は異なる断面、例えば、六角形、６個の分岐を有する星形形態、もしくは円の領域、又は同じ断面形状を有する異なる直径に由来し得る。同じことが第二物体中に形成された第二連結ゾーンの第二連結セグメントについても言える。
【００１０】
二つの物体の回転方向のポジティブ係合を可能にする連結セグメントに加えて、更なる実施形態において実現された本発明のプラグ型連結は軸線方向の非ポジティブ係合（Ｋｒａｆｔｓｃｈｌｕｓｓｅｓ）を生じるような方法で協力する連結セグメントを含み、更に別の実施形態において、プラグ型連結の中心軸線の安定化をも可能にし、これは力にさらされる非ポジティブ係合の場合に特に重要である。連結セグメントの配置について、下記の変化が可能である。
【００１１】
【表１】
2004512057.tif 000003
【００１２】
【表２】
2004512057.tif 000004
【００１３】
【表３】
2004512057.tif 000005
【００１４】
【表４】
2004512057.tif 000006
【００１５】
【表５】
2004512057.tif 000007
【００１６】
【表６】
2004512057.tif 000008
【００１７】
Ｍ×Ｎ＝３による変化は同等に可能である。
プラグ型連結の一つに相当する本発明の装置は、第一物体としての第一連結ゾーンを含む、操作装置、特にねじ回し、及び第二物体としての第二連結ゾーンを含む、ねじ又は骨接合移植体、特に骨ねじを備える。
【００１８】
本発明の装置の別の実施形態において、第一連結ゾーン及び第二連結ゾーンは互換され、その結果、操作装置、特にねじ回しは第二連結ゾーンを含み、逆に、ねじは第一連結ゾーンを含む。
【００１９】
ねじ回しは、第一連結セグメントに相当するねじ回し駆動セグメント（例えば、六角形挿入片）の他に、第二連結セグメントに相当する円錐台形セグメント（ねじ回し締め付けセグメント）を備えている。相補的に、第一連結セグメントに相当するねじの駆動セグメント（例えば、六角形ソケット）は第二連結セグメントに相当するねじ締め付けセグメントを更に備えている。製造技術の理由のために、このねじ締め付けセグメントは円錐台形ねじ回しセグメントの最大直径より小さく、かつ夫々の最小直径より大きい直径を有する円筒形穴の形態に造形されることが好ましい。円錐台の角度はねじ回しの円錐台形締め付けセグメントをねじの円筒形締め付けセグメントに押し付ける際にそれがその中でくさび止めされるようになり、摩擦により保持されるように充分に小さく選ばれる（２〜１０度）。くさび止めされるようになるこのプロセスは回転駆動セグメントの力を減じないで良好な引張強さを特徴とするねじ回しとねじの間の連結を生じた。
【００２０】
くさび形連結は、その連結が曲げ応力にさらされた時に、急激にゆるくなることがあるという欠点で害を受ける。しかしながら、この場合、くさび型連結が曲げ応力のもとにゆるくなることのリスクは回転駆動セグメントの作用により軽減される。駆動セグメントの長さが大きい程、安定化効果が大きいであろう。
【００２１】
製造技術の理由のために、ねじ回しの駆動セグメントは或る種の遊びによりねじの駆動セグメントに常に適合し、その遊びが大きくなるにつれてくさび型連結に関する安定化効果が小さくなる。その遊びの負の影響はねじ回しの駆動セグメントを第三連結ゾーンに相当する円筒形安定化セグメントで完成することにより、またそれに応じてねじ頭部を改良することにより排除し得る。製造技術の観点から、二つの円筒形のかみ合い安定化セグメントは容易に密な適合を備え得る。
【００２２】
駆動セグメントの領域における遊びの負の影響を軽減する別の可能性は前記円錐台形ねじ回し締め付けセグメントの最小直径以下の直径を有する円筒形安定化セグメントを円錐台形ねじ回し締め付けセグメントに加えることにある。相補的方法において、それ故、円筒形ねじ締め付けセグメントは円筒形ねじ安定化セグメントを加えることにより延長される必要がある。製造技術の観点から、二つの円筒形のかみ合い安定化セグメントは密な適合を与え得る。
【００２３】
更に別の実施形態において、ねじ回しはその長手方向軸線に同軸に延びる軸線方向に弾性的な圧力ピンを含む。ねじが挿入された後に、圧力ピンはねじ回しに対して前方に押しやられ、ねじに押し付けられる。こうして、ねじ回しはねじ頭部から完全に押し出され得る。くさび型連結の自動的ロックにより生じた強い圧縮力でさえも解消し、こうしてねじ回しとねじの間の連結を解除することが、圧力ピンにより可能である。加えて、その排出機構は通常のねじ回しと比較して下記の利点を与える。
【００２４】
背骨が前方から後方へ手術される場合、非常に長いねじ回しに対する要望がある。ねじ回しの大きい長さのために、周囲の軟組織により加えられるわずかな圧力でさえもが、ねじの駆動セグメントにおいてくさび止めされるねじ回しから生じてねじ回しの除去中に生ずる問題の原因となり得る。排出機構を使用して、ねじ回しは、周囲の軟組織により加えられた横の圧力にさらされた時でさえも大して努力しないでも除去し得る。
【００２５】
本発明の更に別の有利な実施形態が引用形式請求項に特徴を記載されるであろう。
【００２６】
本発明により得られる利点は実質的には本発明のプラグ型連結が
−ねじ回しとねじの間の耐ショック連結を確立し、
−駆動力の損失を回避し、
−最小のスペースのみを必要とし（いかなるねじ保持さやも必要ではない）、かつ
−ねじの駆動セグメント中でくさび止めされるねじ回しの問題を排出機構により解決することを可能にするという事実にある。
【００２７】
以下に、本発明及び本発明の改良が幾つかの実施形態の部分略図を参照して大いに詳しく説明されるであろう。
【００２８】
（発明を実施するための最良の形態）
図１及び図２は中心軸線４に同軸に延びる第一連結ゾーン３を有する第一物体１及び前記中心軸線４に同等に同軸に延びる連結ゾーン６を有する第二物体２を含む本発明のプラグ型連結の実施態様を示す。その前端部２５に隣接して、物体１は、前端部２５から始まって、互いに軸線方向に隣接し、長さＬ１ にわたって延びる三つ（Ｍ＝３）の連結セグメント５．１；５．２；５．３を含む第一連結ゾーン３を備える。連結ゾーン３は中心軸線４に同軸に延びる軸セグメント２１の形態に造形される。非円形断面Ｑ５．１ を有する第一連結セグメント５．１は、六角形セグメント２２の形態に造形され、角部Ｅを横切る幅及び平部ＳＷを横切る幅を有し、一方、軸線方向の非ポジティブ連結を確立するために設計された第一連結セグメント５．２は２〜１０度、好ましくは３〜５度の円錐角を有する円錐台形軸セグメント２３の形態に造形される。円錐台形軸セグメント２３は前端部２５に隣接し、この部分中で、直径ｄｍｉｎ を有し、一方、六角形セグメント２２に隣接する部分では、それは直径ｄｍａｘ を有する。円柱形軸セグメント２４の形態に造形された、第三連結セグメント５．３は、プラグ型連結を確立するのに利用でき、平部ＳＷを横切る幅と等しいか又はそれより大きい直径ｄを有する。
【００２９】
非円形断面Ｑ５．１ を有する連結セグメント５．１の平部ＳＷを横切る幅はこの断面の内接円の直径に相当し、一方、角部Ｅを横切る幅は夫々の断面の外接円の直径に相当する。
【００３０】
図２は第一連結ゾーン３に相当する第二連結ゾーン６を有する物体２を示す。その上端部２７に隣接して、物体２は、上端部２７から始まって、互いに軸線方向に隣接し、長さＬ２ にわたって延びる三つ（Ｎ＝３）の連結セグメント７．１；７．２；７．３を同等に含む第二連結ゾーン６を備える。連結ゾーン６は中心軸線４に同軸に延びる軸セグメント１１の形態に造形される。断面Ｑ５．１ とポジティブ係合にある円形断面Ｑ７．１ を有する第二連結セグメント７．１は、六角形ソケット１２の形態に造形され、角部Ｅを横切る幅及び平部ＳＷを横切る幅を同様に備えている。上端部２７の面で第二連結セグメント７．１に隣接する第二連結セグメント７．３は、円柱形穴セグメント１４の形態に造形され、その直径はＤ１４≧Ｅである。穴セグメント１４の反対面で第二連結セグメント７．１に隣接する第二連結セグメント７．２は、同様に直径Ｄ１３≦ＳＷかつｄｍｉｎ ≦Ｄ１３≦ｄｍａｘ を有する円柱形穴セグメント１３の形態に造形される。
【００３１】
図１及び図２中、第一連結セグメント５．１及び第二連結セグメント７．１は中心軸線４のまわりの回転に対しポジティブ連結を形成し、一方、軸線方向のポジティブ連結は円柱形穴セグメント１３の形態に造形された第二連結セグメント７．２中でくさび止めされるようになる円錐台形軸セグメント２３の形態に造形された第一連結セグメント５．２により実現される。プラグ型連結の安定化は円柱形軸セグメント２４の形態に造形された第一連結セグメント５．３及び円柱形穴セグメント１４の形態に造形された第二連結セグメント７．３の、それらの直径に関して正確に合わされた、連結により得られる。
【００３２】
図３ａ）〜３ｄ）は本発明のプラグ型連結の更に別の実施態様を示し、以下に記載される。
【００３３】
図３ａ）物体１は、この場合、ねじ回しに相当しており、以下に記載される順序で前端部２５で始まって、中心軸線４に同軸に延び、互いに軸線方向で隣接する三つ（Ｍ＝３）の連結セグメント５．３、５．２及び５．１を含み、
−連結セグメント５．１は角部Ｅを横切る幅及び平部ＳＷを横切る幅を有する六角形軸セグメントの形態に造形され、
−連結セグメント５．２はｄｍａｘ ≦ＳＷを有する円錐台形軸セグメントの形態に造形され、かつ
−連結セグメント５．３はｄ≦ｄｍｉｎ を有する円柱形軸セグメントの形態に造形される。
【００３４】
物体２は、この場合、ねじに相当しており、以下に記載される順序で上端部２７で始まって、中心軸線４に同軸に延び、互いに軸線方向で隣接する三つ（Ｎ＝３）の連結セグメント７．１、７．２及び７．３を含み、
−連結セグメント７．１は角部Ｅを横切る幅及び平部ＳＷを横切る幅を有する六角形穴セグメントの形態に造形され、
−連結セグメント７．２はｄ７．２ ≦ＳＷを有する円柱形穴セグメントの形態に造形され、かつ
−連結セグメント７．３はｄ７．３ ≦ｄ７．２ を有する円柱形穴セグメントの形態に造形される。
【００３５】
図３ｂ）物体１は、この場合、ねじ回しに相当しており、以下に記載される順序で前端部２５で始まって、中心軸線４に同軸に延び、互いに軸線方向で隣接する三つ（Ｍ＝３）の連結セグメント５．１、５．２及び５．３を含み、
−連結セグメント５．１は、角部Ｅを横切る幅及び平部ＳＷを横切る幅を有する六角形穴セグメントの形態に造形され、
−連結セグメント５．２は、ｄｍａｘ ≦ＳＷを有する円柱形又は円錐台形の穴セグメントの形態に造形され、かつ
−連結セグメント５．３は、ｄ≦ｄｍｉｎ を有する円柱形穴セグメントの形態に造形される。
【００３６】
物体２は、この場合、ねじに相当しており、以下に記載される順序で上端部２７で始まって、中心軸線４に同軸に延び、互いに軸線方向で隣接する三つ（Ｎ＝３）の連結セグメント７．３、７．２及び７．１を含み、
−連結セグメント７．１は、角部Ｅを横切る幅及び平部ＳＷを横切る幅を有する六角形軸セグメントの形態に造形され、
−連結セグメント７．２は、ｄｍａｘ ≦ＳＷを有する円柱形軸セグメント（ｄｍｉｎ ；ｄｍａｘ ）の形態に造形され、かつ
−連結セグメント７．３は、ｄ≦ｄｍｉｎ を有する円柱形軸セグメントの形態に造形される。
【００３７】
図３ｃ）物体１は、この場合、ねじ回しに相当しており、中心軸線４に同軸に延びる三つ（Ｍ＝３）の連結セグメント５．１、５．２及び５．３を含み、
−連結セグメント５．１は、角部Ｅを横切る幅及び平部ＳＷを横切る幅を有する六角形穴セグメントの形態に造形され、
−連結セグメント５．２は、ｄｍａｘ ≦ＳＷを有し、連結セグメントに隣接する、円錐台形軸セグメントの形態に造形され、かつ
−連結セグメント５．３は、ｄ≦ｄｍｉｎ を有し、前端部２５に隣接する、円柱形軸セグメントの形態に造形され、かつ連結セグメント５．２及び５．３は固定軸セグメント又は軸線方向に変位可能な軸セグメントとして物体１に取り付けられる。
【００３８】
物体２は、この場合、ねじに相当しており、中心軸線４に同軸に延びる三つ（Ｎ＝３）の連結セグメント７．１、７．２及び７．３を含み、
−連結セグメント７．１は、角部Ｅを横切る幅及び平部ＳＷを横切る幅を有する六角形軸セグメントの形態に造形され、
−連結セグメント７．２は、ｄ７．２ ＜ＳＷを有し、上端部２７に隣接する、円柱形穴セグメントの形態に造形され、かつ
−連結セグメント７．３は、ｄ７．３ ＜ｄ７．２ を有し、連結セグメント７．２に隣接する、円柱形穴セグメントの形態に造形される。
【００３９】
図３ｄ）物体１は、この場合、ねじ回しに相当しており、中心軸線４に同軸に延びる三つ（Ｍ＝３）の連結セグメント５．１、５．２及び５．３を含み、
−連結セグメント５．１は、角部Ｅを横切る幅及び平部ＳＷを横切る幅を有し、連結セグメント５．２に隣接する、六角形穴セグメントの形態に造形され、
−連結セグメント５．２は、ｄｍｉｎ ≧Ｅを有し、上端部２５に隣接する、円錐台形穴セグメントの形態に造形され、かつ
−連結セグメント５．３は、ｄ≦ＳＷを有する円柱形軸セグメントの形態に造形され、かつ固定軸セグメント又は軸線方向に変位可能な軸セグメントとして物体１に取り付けられる。
【００４０】
物体２は、この場合、ねじに相当しており、中心軸線４に同軸に延びる三つ（Ｎ＝３）の連結セグメント７．１、７．２及び７．３を含み、
−連結セグメント７．１は、角部Ｅを横切る幅及び平部ＳＷを横切る幅を有し、上端部２７に隣接する、六角形軸セグメントの形態に造形され、
−連結セグメント７．２は、ｄｍｉｎ ≧ＳＷを有し、連結セグメント７．１に隣接する、円錐台形軸セグメントの形態に造形され、かつ
−連結セグメント７．３は、ｄ７ ＜ＳＷを有し、上端部２７に隣接する、円柱形軸セグメントの形態に造形される。
【００４１】
図４ａ）、４ｂ）、５ａ）、及び５ｂ）は、物体２中に形成された穴セグメントＡ１〜Ａ２０として、また物体１中に形成された軸セグメントＢ１〜Ｂ１８として実現された、本発明のプラグ型連結の更に別の実施態様を含み、夫々の連結セグメントは以下に記載されるように異なる形態に造形される。
Ａ１：六角形ソケットの形態に造形された連結セグメント７．１；
Ａ２：上端部２７に隣接する六角形ソケットの形態に造形された連結セグメント７．１、及びｄｍａｘ ≦ＳＷを有し、連結セグメント７．１に隣接する、円錐台形穴セグメントの形態に造形された連結セグメント７．２；
Ａ３：ｄｍｉｎ ≧Ｅを有し、上端部２７に隣接する、円錐台形穴セグメントの形態に造形された連結セグメント７．２、及び連結セグメント７．２に隣接する六角形ソケットの形態に造形された連結セグメント７．１；
Ａ４：上端部２７に隣接する六角形ソケットの形態に造形された連結セグメント７．１、及びｄ≦ＳＷを有し、連結セグメント７．１に隣接する、円柱形穴セグメントの形態に造形された連結セグメント７．２；
Ａ５：ｄ≧Ｅを有し、上端部２７に隣接する、円柱形穴セグメントの形態に造形された連結セグメント７．２、及び連結セグメント７．２に隣接する六角形ソケットの形態に造形された連結セグメント７．１；
Ａ６：上端部２７に隣接する六角形ソケットの形態に造形された連結セグメント７．１、及びｄｍａｘ ≦Ｅを有し、連結セグメント７．１に隣接する、円錐台形穴セグメントの形態に造形された連結セグメント７．２；
Ａ７：直径Ｄを有し、上端部２７に隣接する、円柱形穴セグメントの形態に造形された連結セグメント７．３；Ｅ≦Ｄを有し、連結セグメント７．３に隣接する、六角形ソケットの形態に造形された連結セグメント７．１；及びｄｍａｘ ≦ＳＷを有し、連結セグメント７．１に隣接する、円錐台形穴セグメントの形態に造形された連結セグメント７．２；
Ａ８：ｄｍｉｎ ≧Ｅを有し、上端部２７に隣接する、円錐台形穴セグメントの形態に造形された連結セグメント７．２；連結セグメント７．２に隣接する、六角形ソケットの形態に造形された連結セグメント７．１；及びｄ≦ＳＷを有し、連結セグメント７．１に隣接する、円柱形穴セグメントの形態に造形された連結セグメント７．３；
Ａ９：直径Ｄを有し、上端部２７に隣接する、円柱形穴セグメントの形態に造形された連結セグメント７．３；Ｅ≦Ｄを有し、連結セグメント７．３に隣接する、六角形ソケットの形態に造形された連結セグメント７．１；及びｄ≦ＳＷを有し、連結セグメント７．１に隣接する、円柱形穴セグメントの形態に造形された連結セグメント７．２；
Ａ１０：直径Ｄを有し、上端部２７に隣接する、円柱形穴セグメントの形態に造形された連結セグメント７．３；Ｅ＜Ｄを有し、連結セグメント７．３に隣接する、六角形ソケットの形態に造形された連結セグメント７．１；及びｄ≦ＳＷを有し、連結セグメント７．１に隣接する、円柱形穴セグメントの形態に造形された連結セグメント７．２；
Ａ１１：上端部２７に隣接する円錐六角形ソケットの形態に造形された連結セグメント７．２、及び柱状六角形ソケットの形態に造形され、かつ整列転移により連結セグメント７．２に隣接された連結セグメント７．１；
Ａ１２：上端部２７に隣接する柱状六角形ソケットの形態に造形された連結セグメント７．１、及び整列転移により連結セグメント７．１に隣接された円錐六角形ソケットの形態に造形された連結セグメント７．２；
Ａ１３：上端部２７に隣接する六角形ソケットの形態に造形された連結セグメント７．１；ｄｍａｘ ≦ＳＷを有し、連結セグメント７．１に隣接する、円錐台形穴セグメントの形態に造形された連結セグメント７．２；及びｄ≦ｄｍａｘ を有し、連結セグメント７．２に隣接する、円柱形穴セグメントの形態に造形された連結セグメント７．３；
Ａ１４：上端部２７に隣接する六角形ソケットの形態に造形された連結セグメント７．１；Ｄ≦ＳＷを有し、連結セグメント７．１に隣接する、円柱形穴セグメントの形態に造形された連結セグメント７．２；及びｄ≦Ｄを有し、連結セグメント７．２に隣接する、円柱形穴セグメントの形態に造形された連結セグメント７．３；
Ａ１５：Ａ７と同じ；
Ａ１６：Ｄ≧Ｅを有し、上端部２７に隣接する、円柱形穴セグメントの形態に造形された連結セグメント７．３；連結セグメント７．３に隣接する、六角形ソケットの形態に造形された連結セグメント７．１；及び連結セグメント７．１に隣接する、円柱形穴セグメントの形態に造形された連結セグメント７．２；
Ａ１７：Ｄ≧ｄｍａｘ を有し、上端部２７に隣接する、円柱形穴セグメントの形態に造形された連結セグメント７．３；連結セグメント７．３に隣接する、円錐台形穴セグメントの形態に造形された連結セグメント７．２；及びＥ≦ｄｍｉｎ を有し、連結セグメント７．２に隣接する、六角形ソケットの形態に造形された連結セグメント７．１；
Ａ１８：Ｄ＞ｄを有し、上端部２７に隣接する、円柱形穴セグメントの形態に造形された連結セグメント７．３；ｄ＜Ｄを有し、連結セグメント７．３に隣接する、円柱形穴セグメントの形態に造形された連結セグメント７．２；及びＥ＜ｄを有し、連結セグメント７．２に隣接する、六角形ソケットの形態に造形された連結セグメント７．１；
Ａ１９：上端部２７に隣接する、円錐台形穴セグメントの形態に造形された連結セグメント７．２；ｄ≦ｄｍｉｎ を有し、連結セグメント７．２に隣接する、円柱形穴セグメントの形態に造形された連結セグメント７．３；及びＥ≦ｄを有し、連結セグメント７．３に隣接する、六角形ソケットの形態に造形された連結セグメント７．１；
Ａ２０：直径Ｄを有し、上端部２７に隣接する、円柱形穴セグメントの形態に造形された連結セグメント７．３；ｄ≦Ｄを有し、連結セグメント７．３に隣接する、円柱形穴セグメントの形態に造形された連結セグメント７．２；及びＥ≦ｄを有し、連結セグメント７．３に隣接する、六角形ソケットの形態に造形された連結セグメント７．１．
【００４２】
図５ａ）中、部材Ｂ１〜Ｂ５は図４ａ）に示された部材Ａ１〜Ａ５とは異なる。何とならば、夫々の穴セグメントが相当する軸セグメントにより置換され、残りの連結セグメントが、以下に記載されるように、異なる形態に造形されるからである。
Ｂ６：前端部２５に隣接する六角形セグメントの形態に造形された連結セグメント５．１；及びｄｍａｘ ＞ＳＷを有し、連結セグメント５．１に隣接する、円錐台形軸セグメントの形態に造形された連結セグメント５．２；
Ｂ７：前端部２５に隣接する六角形セグメントの形態に造形された連結セグメント５．１、及びｄ≧ＳＷを有し、連結セグメント５．１に隣接する、円柱形軸セグメントの形態に造形された連結セグメント５．２；
Ｂ８：穴セグメントが相当する軸セグメントにより置換される限りにおいてのみ部材Ａ１１とは異なる；
Ｂ９：穴セグメントが相当する軸セグメントにより置換される限りにおいてのみ部材Ａ１２とは異なる；
Ｂ１０：直径ｄを有し、前端部２５に隣接する、円柱形軸セグメントの形態に造形された連結セグメント５．３；ｄｍｉｎ ≧ｄを有し、連結セグメント５．３に隣接する、円錐台形軸セグメントの形態に造形された連結セグメント５．２；及びＳＷ≧ｄｍｉｎ を有し、連結セグメント５．２に隣接する、六角形セグメントの形態に造形された連結セグメント５．１；
Ｂ１１：穴セグメントが相当する軸セグメントにより置換される限りにおいてのみ部材Ａ７とは異なる；
Ｂ１２：穴セグメントが相当する軸セグメントにより置換される限りにおいてのみ部材Ａ１７とは異なる；
Ｂ１３：穴セグメントが相当する軸セグメントにより置換された限りにおいてのみＡ８とは異なる；
Ｂ１４：前端部２５に隣接して、ｄ＜ｄｍｉｎ を有する円柱形軸セグメントの形態に造形された連結セグメント５．４が連結セグメント５．２に加えられた限りにおいてのみ部材Ｂ１１とは異なる；
Ｂ１５：直径ｄを有し、前端部２５に隣接する、円柱形軸セグメントの形態に造形された連結セグメント５．４；ｄｍｉｎ ≧ｄを有し、連結セグメント５．４に隣接する、円錐台形軸セグメントの形態に造形された連結セグメント５．２；Ｄ≧ｄｍａｘ を有し、連結セグメント５．２に隣接する、円柱形軸セグメントの形態に造形された連結セグメント５．３；及びＳＷ≧Ｄを有し、連結セグメント５．３に隣接する、六角形セグメントの形態に造形された連結セグメント５．１；
Ｂ１６：はＢ１４と同じである；
Ｂ１７：前端部２５に隣接して、ｄ≦ＳＷを有する円柱形軸セグメントの形態に造形された連結セグメント５．４が連結セグメント５．１に加えられた限りにおいてのみ部材Ｂ１２とは異なる；
Ｂ１８：条件Ｅ≦Ｄ≦ｄｍｉｎ を満たす直径Ｄを有する円柱形軸セグメントの形態に造形された連結セグメント５．３が連結セグメント５．１と５．２の間に挿入された限りにおいてのみ部材Ｂ１２とは異なる。
【００４３】
図６は図４ａ）、４ｂ）、５ａ）、及び５ｂ）に示されたような軸セグメントＢ１〜Ｂ１８及び穴セグメントＡ１〜Ａ２０の形態に造形された第一連結セグメントと第二連結セグメントの組み合わせの表示である。
【００４４】
図７ａ）〜７ｅ）は本発明による装置の更に別の実施態様を示す。これらはねじの形態で実現される物体２により例示される。六角形穴セグメントの形態に造形された連結セグメント７．１は上端部２７に隣接し、下方へと底部２９に達する。底部２９の上に、軸セグメントの形態に造形された一つ又は二つの連結セグメントが配置され、これらは上端部２７に向かって延びる。図７ａ）及び７ｂ）中、連結セグメント７．２は円柱形軸セグメントの形態に造形される。図７ｃ）中、連結セグメント７．２は円錐台形軸セグメントの形態に造形される。図７ｄ）中、連結セグメント７．２は底部２９から上向きに延びる円錐台形軸セグメントの形態に造形され、円柱形軸セグメント（ｄ≦ｄｍｉｎ ）の形態に造形された連結セグメント７．３により隣接され、また図７ｅ）中、連結セグメント７．３は底部２９から上向きに延びる円柱形軸セグメントの形態に造形され、円錐台形軸セグメント（ｄｍａｘ ≦ｄ）の形態に造形された連結セグメント７．２により隣接される。
【００４５】
図８及び図９は物体１が、ねじの形態に造形された物体２（図２）をねじ込み、又はねじを回して取り出すのに利用できるねじ回し３０の形態に造形される本発明の装置の実施態様を示す。ねじ回し３０は、長手方向軸線５０、物体２（図２）に向けられた前端部５１、及び穴５２を含み、この穴は長手方向軸線５０に同軸に延び、前端部５１に向かって開いている。軸線方向に変位可能なピン５５が穴５２内に配置され、これはばね５６により前端部５１の方向に穴５２内で押される。ピン５５は、それが物体２（図２）の穴セグメント１１の底部に当接するまで前端部５１に向かって押される。更に、その後端部５７上で押すことにより、ピン５５は前端部５１の方向に少なくとも充分に遠くに変位されてもよく、その結果、第一連結セグメント５．１及び第二連結セグメント７．１（これらは互いにポジティブに係合しており、夫々ねじ回し中に形成された六角形挿入片２１０として、またねじ中に形成された六角形ソケット１２として造形される（図２））が相互の係合を停止し、従って、また円錐台形軸セグメント２２０の形態に造形された、ねじ回し３０の第一連結セグメント（図１）がねじの形態に造形された物体２の穴セグメント１１から完全に外されるようになる。
【図面の簡単な説明】
【図１】本発明のプラグ型連結の一実施形態に係るほぞのような連結ゾーンの斜視図を示す。
【図２】本発明のプラグ型連結の一実施形態に係るくぼみの形状に造形された連結ゾーンの斜視図を示す。
【図３】ａ）〜ｄ）は本発明のプラグ型連結の異なる実施形態の局所部分を示す図である。
【図４】ａ）及びｂ）は本発明のプラグ型連結の異なる実施形態に係る連結セグメントとしてくぼみのみを含む連結ゾーンの断面図である。
【図５】ａ）及びｂ）は本発明のプラグ型連結の異なる実施形態に係る連結セグメントとしてほぞのようなセグメントのみを含む連結ゾーンの断面図である。
【図６】図４ａ）及び図４ｂ）の連結ゾーンを図５ａ）及び図５ｂ）の連結ゾーンと組み合わせることの可能性を示す表を示す。
【図７】くぼみを含む連結セグメントがほぞのようなセグメントを含む連結セグメントと組み合わされる本発明のプラグ型連結の異なる実施形態のその他の連結ゾーンの斜視図を示す。
【図８】本発明の装置の一実施形態の斜視図である。
【図９】図８に示された本発明の装置の実施形態に係るねじを押し離すのに利用できるピンの斜視図である。
【国際公開パンフレット】
2004512057.tif 000009
2004512057.tif 000010
2004512057.tif 000011
2004512057.tif 000012
2004512057.tif 000013
2004512057.tif 000014
2004512057.tif 000015
2004512057.tif 000016
2004512057.tif 000017
2004512057.tif 000018
2004512057.tif 000019
2004512057.tif 000020
2004512057.tif 000021
2004512057.tif 000022
2004512057.tif 000023
2004512057.tif 000024
2004512057.tif 000025
2004512057.tif 000026
2004512057.tif 000027
2004512057.tif 000028
2004512057.tif 000029
2004512057.tif 000030
2004512057.tif 000031
2004512057.tif 000032
2004512057.tif 000033
2004512057.tif 000034
2004512057.tif 000035
2004512057.tif 000036
2004512057.tif 000037
2004512057.tif 000038
2004512057.tif 000039
2004512057.tif 000040
2004512057.tif 000041
2004512057.tif 000042
2004512057.tif 000043
2004512057.tif 000044
2004512057.tif 000045
2004512057.tif 000046
2004512057.tif 000047
【手続補正書】
【提出日】平成13年10月17日(2001.10.17)
【手続補正１】
【補正対象書類名】明細書
【補正対象項目名】請求項１
【補正方法】変更
【補正の内容】
【請求項１】
Ａ）第一物体（１）が中心軸線（４）、長さ（Ｌ１ ）、及び中心軸線（４）に同軸に配置されたＭ（Ｍ≧１）個の第一連結セグメント（５．１，．．．．．，５．ｍ）を有する第一連結ゾーン（３）を含み；
Ｂ）第二物体（２）が中心軸線（４）、長さ（Ｌ２ ）、及び中心軸線（４）に同軸に配置されたＮ（Ｎ≧１）個の第二連結セグメント（７．１，．．．．．，７．ｎ）を有する第二連結ゾーン（６）を含み、その結果、
Ｃ）第一連結ゾーン（３）及び第二連結ゾーン（６）が中心軸線（４）に同軸に延びるプラグ型連結を形成し、かつ
Ｄ）第一連結ゾーン（３）が非円形断面Ｑ５．１ を有する少なくとも一つの第一連結セグメント（５．１）を有し、そして第二連結ゾーン（６）が前記断面Ｑ５．１ とポジティブに係合する断面Ｑ７．１ を有する少なくとも一つの第二連結セグメント（７．１）を有し、それにより中心軸線（４）に対する回転方向のポジティブ係合が得られる、二つの物体（１）及び（２）を解除自在に連結するためのプラグ型連結であって、
Ｅ）Ｍ×Ｎが≧２であり、かつ
Ｆ）少なくとも一つの第一連結セグメント（５．１，．．．．．，５．ｍ）及び少なくとも一つの第二連結セグメント（７．１，．．．．．，７．ｎ）が中心軸線（４）に対する軸方向の非ポジティブ係合を形成し、これにより一つの連結セグメント（５．１，．．．．．，５．ｍ；７．１，．．．．．，７．ｎ）が円錐形に形成され、円形断面を有しており、そして一つのセグメント（５．１，．．．．．，５．ｍ；７．１，．．．．．，７．ｎ）が円筒形に形成されていることを特徴とするプラグ型連結。
【手続補正２】
【補正対象書類名】明細書
【補正対象項目名】請求項２
【補正方法】変更
【補正の内容】
【請求項２】
少なくとも一つの円筒形第一連結セグメント（５．１，．．．．．，５．ｍ）及び少なくとも一つの円筒形第二連結セグメント（７．１，．．．．．，７．ｎ）を備え、両円筒形セグメント（５．１，．．．．．，５．ｍ；７．１，．．．．．，７．ｎ）が非ポジティブ係合の安定化のために軸線方向の案内を形成することを特徴とする請求項１に記載のプラグ型連結。
【国際調査報告】
2004512057.tif 000048
2004512057.tif 000049
2004512057.tif 000050
2004512057.tif 000051
2004512057.tif 000052
2004512057.tif 000053